(57)【要約】【課題】プラグを巻取り基端として、プラグに繋がるコードを巻取ることにある。【解決手段】ケース６と、その周方向に回転自在にケース６内部に取り付けられる巻取部材１０とを備え、巻取部材１０外周とケース６との間にはプラグ５６を有するコード５８を巻取り可能な隙間８が形成され、巻取部材１０には、その外周よりも径方向内方側にプラグ５６を出し入れ可能に収納する収納部２６が形成され、収納部２６は、コード５８の巻取り時において、収納部２６に収納されたプラグ５６の抜け方向への移動を規制する係止部２３を有し、収納部２６に収納されたプラグ５６を基端としてプラグ５６に繋がるコード５８を巻取部材外周１０ａに巻き取る構成とされている。【選択図】図４
2008001511.tif 000002
【特許請求の範囲】
【請求項１】
ケースと、
その周方向に回転自在に前記ケース内部に取り付けられた巻取部材とを備え、
前記巻取部材外周と前記ケースとの間にはプラグを有するコードを巻取り可能な隙間が形成され、
前記巻取部材には、その外周よりも径方向内方側に前記プラグを出し入れ可能に収納する収納部が形成され、
前記収納部は、前記コードの巻取り時において、前記収納部に収納された前記プラグの抜け方向への移動を規制する係止部を有し、
前記収納部に収納された前記プラグを基端として前記プラグに繋がる前記コードを前記巻取部材外周に巻き取る構成とされている巻取装置。
【請求項２】
請求項１に記載の巻取装置であって、
前記係止部は、前記収納部に収納されたプラグを保持する付勢力を付与された係止片を備える巻取装置。
【発明の詳細な説明】
【技術分野】
【０００１】
本発明は、プラグを有するコードを巻き取る巻取装置に関する。
【背景技術】
【０００２】
温風ヒータ、扇風機、ヘアドライヤ、ミシン又はパソコンなどの電気機器には、商用交流電源から電力を得るための電源用のコードが取り付けられている。電源用のコードの先端には接続端子付きプラグが取り付けられている。そして電気機器に取り付けられた電源用のコードは、一般的にプラグを外に露出させた状態で、電気機器に内蔵された円筒状リール（巻取材の一例）にコードだけを巻取り収納可能な構成とされている（特許文献１を参照）。
【特許文献１】特開２００５−０１５１７８号公報
【発明の開示】
【発明が解決しようとする課題】
【０００３】
しかし、上述の円筒状リールではコードを巻取り収納したとき、プラグが外に露出したままの状態となるので、外に露出したプラグには塵やホコリなどのゴミが付着して汚れやすくまた接続端子にサビが発生するという問題があった。またコードの巻取りが不十分でたるんでいると、床などの載置面にプラグが放置された状態となり、誤ってプラグ（特に接続端子）を踏みつけて破損又は変形させてしまうこともある。
なお、ある季節のみ使用されて残りの期間は押し入れ等の収納場所に置かれる扇風機などの電気機器では、プラグをコードごと収納するための蓋付きの収納部を設けたものもある。しかしながらこのような収納部を有する電気機器であっても、収納部内にコードを巻き回して収納しただけの場合が多く、プラグが確実に固定されているわけではないので誤って収納の蓋が開くとプラグが外に飛び出してしまうこともある。
本発明は、このような点に鑑みて創案されたものであり、本発明の課題とするところは、プラグを巻取り基端として、プラグに繋がるコードを巻取ることにある。
【課題を解決するための手段】
【０００４】
上記課題を解決するための手段として、本発明の第１発明の巻取装置は、ケースと、その周方向に回転自在にケース内部に取り付けられた巻取部材とを備え、巻取部材外周とケースとの間にはプラグを有するコードを巻取り可能な隙間が形成され、巻取部材には、その外周よりも径方向内方側にプラグを出し入れ可能に収納する収納部が形成され、収納部は、コードの巻取り時において、収納部に収納されたプラグの抜け方向への移動を規制する係止部を有し、収納部に収納されたプラグを基端としてプラグに繋がるコードを巻取部材外周に巻き取る構成とされている。
【０００５】
第１発明の巻取装置は、ケースと巻取部材とを備える。巻取部材は、その周方向に回転自在にケースに取り付けられている。そして巻取部材外周壁と、それに対面するケース内壁との間にプラグを有するコードを巻取り可能な隙間が形成されている。巻取部材は、その外周よりも径方向内方側にプラグを出し入れ可能に収納する収納部を有する。そして、収納部に収納されたプラグを基端としてプラグに繋がるコードを巻取部材外周に巻取り、巻取部材外周とケースとの間に形成された隙間に収納する構成とされている。このためコードは、巻取部材の径方向内方側に収納されたプラグを囲うように巻取部材外周に巻き取られて収納される。よって、プラグを外部に極力露出させることなくコードを巻き取ることができる。
【０００６】
そして収納部には、コードの巻取り時又は保管時において、収納部に収納されたプラグの抜け方向への移動を規制する係止部が形成されている。この係止部は、プラグの抜け方向移動経路を遮るように配置又は形成されている。コードの巻取り時において、プラグの抜け方向移動経路を遮るように配置又は形成された係止部が抜け方向へと移動するプラグと係り合いその移動を規制する。このため、コードの巻取り時又は保管時にプラグが収納部から抜け出すことを防止又はより低減することができる。
【０００７】
また、本発明の第２の発明は、第１の発明に記載の巻取装置であって、係止部は、収納部に収納されたプラグを保持する付勢力を付与された係止片を備える。
第２発明の巻取装置では、係止片の付勢力によって収納部に収納されたプラグが保持されてその抜け方向に移動することを規制する。
【発明の効果】
【０００８】
第１の発明の巻取装置によれば、プラグが外部に露出することを防止又は低減するので、プラグが汚れたり破損したりすることを防止又は低減することができる。
第２の発明の巻取装置によれば、係止片の付勢力により収納部内にプラグが保持されるので、コードの巻取り時又は保管時に収納部からプラグが抜け出すことをより確実に防止又は低減することができる。
【発明を実施するための最良の形態】
【０００９】
以下に、本発明を実施するための最良の形態について図面を用いて説明する。図１〜７は第一の実施の形態の巻取装置２を示す図であり、図９及び１０は、第二の実施の形態の巻取装置２ａを示す図であり、図１２は、第三の実施の形態の巻取装置２ｂを示す図である。図８は、コードを巻き取る前のドライヤの図であり、図１１は、巻取装置を取り付けた温風ヒータの図である。
本実施の形態における巻取装置２（２ａ、２ｂ）は、後述の通り、例えば図８に記載のドライヤ本体５０に接続された電源用コード５２を巻き取るための装置である。電源用コード５２は、接続端子５４を有するプラグ５６と、ドライヤ本体５０に接続されたコード５８とからなり、プラグ５６は常に外部に露出した構成とされている。そして巻取装置２（２ａ、２ｂ）は、後述の通り、プラグ５６を極力外部に露出させないように、プラグ５６を巻取り基端としてコード５８を巻取り収納するための装置である。
【００１０】
［第一の実施の形態］
以下、図２のように巻取装置を載置（横置き）したとき上を向く側を巻取装置の上側とする。
第一の実施の形態にかかる巻取装置２は、図１及び２のように、円筒形状の外部ケース６と、外部ケース６内部に回転自在に取り付けられた円筒形状のリール１０（巻取部材の一例）とを備える。ここで外部ケース６の上部壁６ｂは、外部ケース６内部が目視できるよう透明な材質にて構成されているので、外部ケース６内部のリール１０も図１で図示されることとなる。
そしてリール１０は外部ケース６よりも小径とされており、外部ケース６の内周壁６ｄとリール１０の外周壁１０ａとの間には、上述の電源用コード５２のコード５８を収納可能な隙間（クリアランス８）が設けられている。
以下、各構成要素について説明する。
【００１１】
外部ケース６の周側壁６ｃには、電源用コード５２のプラグ５６を挿入可能な挿入口４と、持ち運びのための略矩形の持ち手１２と、フック孔３２を有する掛け具３０と、外部ケース６の周側壁６ｃを下にして載置（縦置き）した際に支持部となる断面半円筒状のスタンド１４とが設けられている。
そして外部ケース６の上部壁６ｂには、ハンドル部材１７がボルト１９にて取り付けられている。ハンドル部材１７は、外部ケース６内部に取り付けられたリール１０を回転させるためのものであり、図２のように、ドーム型（角部のない半球形状）の基部１８と、基部１８の外周付近に立設した円筒状の取っ手１６とからなる。そしてハンドル部材１７を外部ケース６に取り付けるためのボルト１９は、後述の通りリール１０の回転中心とされる。
【００１２】
リール１０は、図３のように、外部ケース６内部に回転自在に取り付けられている。つまりリール１０の上部壁１０ｂには短筒状のボス３６が嵌め込み固定されている。そしてボス３６には、ハンドル部材１７のボルト１９を挿通可能なボルト孔３６ａが形成され、更にその同軸上側にはナット孔（図示しない）を上に向けたナット３４が嵌め込み固定されている。また外部ケース６の上部壁６ｂには、リール１０に固定されたボス３６が回転自在に嵌め込み可能な挿通孔６ａが形成されている。そして外部ケース６の挿通孔６ａにボス３６が嵌め込まれた状態で、このボス３６のボルト孔３６ａに、ハンドル部材１７のボルト１９がナット３４を介して固定されている。このためリール１０は、ボルト１９を回転中心として回転自在に外部ケース６に取り付けられ、ハンドル部材１７を回転させることでリール１０がその周方向に回転することとなる。
【００１３】
なおリール１０の外周壁１０ａは、図３のように、上から下に向かうにつれて厚みが薄くなるよう傾斜した縦断面形状とされている。後述するように、リール１０の外周壁１０ａの下から上に向けてコード５８を巻き取ることで、自然と上側のコード５８が下側に落ち、巻き取られたコード５８間の隙間がなくなり密に巻き取ることができる。
【００１４】
そしてリール１０には、図４のように、接続端子５４を有するプラグ５６を出し入れ可能に収納する収納部２６が形成されている。この収納部２６は、コード５８が巻き取られるリール１０の外周壁１０ａ（リール１０の外周を構成する）よりもリール１０の径方向内方側に形成されており、接続端子５４を有するプラグ５６を収納可能な奥行き寸法を有する。そして収納部２６には、収納された接続端子５４の配置位置に対応する位置（本実施の形態においては、収納部２６奥方位置）に後述の係止部２３が形成されている。
【００１５】
ここで収納部２６の開口部２８は、外部ケース６に対してリール１０を（巻取りのための）スタート位置に配置することで、外部ケース６に形成された挿入口４に対面配置されるよう形成されている。本実施例においては、図１にて図示されるようにハンドル部材１７を回転させて外部ケース６の上部壁６ｂの印（Ｂ１）とハンドル部材１７の基部１８の印（Ｂ２）とを一致させる。これにより、収納部２６の開口部２８が外部ケース６の挿入口４と対面配置するスタート位置にリール１０が配置され、接続端子５４を有するプラグ５６が外部ケース６の挿入口４を通って収納部２６の開口部２８に出し入れ可能となる。
【００１６】
本実施例の収納部２６について更に詳述すると、収納部２６は、リール１０の外周壁１０ａを一部切り欠いて形成された凹部である。収納部２６は、リール１０の外周壁１０ａの一部で構成された第一側壁２４と、この外周壁１０ａの一部とは異なる他部が前記第一側壁２４に連なる手前で湾曲して構成された第二側壁２０とで囲まれてなる。
第一側壁２４は、プラグ５６を出し入れし易いように開口部２８に続く内壁が直線形状（第一直線部２４ｃ）とされ、その奥方に、収納されるプラグ５６の接続端子５４先端を受け止める収納部２６の底部（受け部２４ａ）が形成されている。そして第一直線部２４ｃの収納部２６奥方位置には、突出部２４ｂ（後述する係止部２３の構成要素の一部）が形成されている。
そして収納部２６の第二側壁２０は、開口部２８付近が湾曲（ガイド部２０ａ）しており、ガイド部２０ａに続く内壁が直線形状（第二直線部２０ｂ）とされている。この第二直線部２０ｂは、上述の収納部２６の底部（受け部２４ａ）に連結している。そして第二直線部２０ｂの収納部２６奥方位置には、第二直線部２０ｂを貫通して形成された取付孔２０ｃがあり、この取付孔２０ｃに、係止片２２（後述する係止部２３の構成要素の一部）が取り付けられている。
【００１７】
本実施例における係止部２３は、第一側壁２４に形成された突出部２４ｂと、第二側壁２０に取り付けられた係止片２２とで構成されている。突出部２４ｂは、上述の通り、第一側壁２４内壁が収納部２６内部側（リール１０の径方向内方側）に突出して形成されてなる。
そして係止片２２は、凸状に屈曲した突出部位２２ａと、その突出部位２２ａに連接する平板部位２２ｂとからなる板バネ部材である。
係止片２２は、その突出部位２２ａが収納部２６内部側（リール１０の径方向外方側）に突出するように、第二直線部２０ｂの取付孔２０ｃに嵌め込まれている。そして係止片２２は、この突出部位２２ａが上述の突出部２４ｂと対面するよう、その平板部位２２ｂの先端２２ｃがリール１０の内壁側で固定されている。なお、互いに対面配置された突出部２４ｂと突出部位２２ａの隙間間隔は、その間に挿入させることとなる接続端子５４の縦寸法よりも小さく（狭く）されている。そして突出部位２２ａが収納部２６内部側から押圧されると、平板部位２２ｂがその先端２２ｃを基端として撓り、突出部位２２ａが取付孔２０ｃ内に押し込まれて移動する。この平板部位２２ｂの撓りにより、押し込まれた突出部位２２ａには、上述の押圧に反発して収納部２６内部に戻る向きの付勢力が付与されることとなる。
ここで係止片２２の付勢力（保持力）は適宜設定可能であるが、例えば、接続端子５４を有するプラグ５６を収納部２６に収納保持したとき、外部に露出したコード５８の自重により接続端子５４を有するプラグ５６が収納部２６から抜け出さない程度でよい。
【００１８】
次に、コードの巻取り手順を説明する。
図５のように接続端子５４を有するプラグ５６を縦向きにして収納部２６に挿入し、突出部位２２ａを接続端子５４にて取付孔２０ｃ側に押圧しつつ、プラグ５６の接続端子５４を突出部２４ｂと突出部位２２ａの間に挿入する。これによりプラグ５６は、係止部２３により軽く挟まれた状態（保持された状態）となる（同図の（Ｉ）を参照）。この状態で、ハンドル部材１７（図１を参照）を巻取り方向Ａに回転し、プラグ５６に繋がるコード５８をリール１０の外周壁１０ａに巻き取っていく。このときプラグ５６のプラグ基部５７（プラグ５６の基部付近の凸状箇所）が、リール１０の外周壁１０ａに巻き取られたコード５８に引っ張られて湾曲したガイド部２０ａに当接する（同図の（ＩＩ）を参照）。そしてプラグ基部５７に繋がるコード５８は、プラグ基部５７を中心にガイド部２０ａに沿って曲折することなく湾曲しながら巻き取られていく。このためプラグ基部５７に繋がるコード５８に必要以上のテンションがかからない（同図の（ＩＩＩ）を参照）。
【００１９】
そしてプラグ５６の接続端子５４は、プラグ基部５７が基端となってリール１０の径方向外方へ拡がりつつコード５８に引っ張られる方向（プラグの抜け方向移動経路）に移動しようとする。このとき、抜け方向へと移動しようとするプラグ５６（接続端子５４）が、そのプラグ５６の抜け方向移動経路において係止部２３としての突出部２４ｂに係り合う。このため、プラグ５６の抜け方向移動への移動が阻止される。そして係止片２２の付勢力により、接続端子５４が突出部２４ｂに押し付けられて保持される。このため、プラグ５６の抜け方向移動への移動がより確実に阻止される。
この状態で、収納部２６に収納されたプラグ基部５７を基端としてプラグ５６に繋がるコード５８をリール１０の外周壁１０ａに巻き取り、外部ケース内周壁６ｄとリール１０の外周壁１０ａとの間に形成されたクリアランス８にコード５８を収納していくこととなる（図６を参照）。
そしてコード５８を収納した巻取装置２を、図７のように、部屋の壁などの被取付部６４に設けられた第一フック６０に掛けて被取付部６４に取り付けておく。なおドライヤ本体５０の自重は、第一フック６０とは異なる第二フック６２により支持されている。
【００２０】
上述の構成によれば、巻き取られたコード５８はクリアランス８に位置し、そのコード５８よりもリール１０の径方向内方側に形成された収納部２６に接続端子５４を有するプラグ５６が収納保持されることとなる。このため、接続端子５４を有するプラグ５６を外部に露出させることなくコード５８を巻き取ることができる。
【００２１】
［第二の実施の形態］
第二の実施の形態にかかる巻取装置２ａは、上述の第一の実施の形態にかかる巻取装置２と同一の基本構成を有する。このため、第一の実施の形態にかかる巻取装置２と同一の構成については同一の符号を付す事でその構成の詳細な説明を省略する。
第二の実施の形態にかかる巻取装置２ａの特徴は、係止片４０にて係止部２３が構成されている点である。係止片４０は、平板部位４０ｃと、この平板部位４０ｃに対して略直角に屈曲した突出部位４０ｂとを有する板部材である。そして、第一側壁２４の収納部２６奥方位置には、係止片４０を取り付けるための円筒状の軸部４２が上下方向に立設配置されている。係止片４０は、その突出部位４０ｂが開口部２８側に配置されるように、軸部４２に回動自在に取り付けられている。更に軸部４２には、係止片４０と第一側壁２４に挟まれるように丸バネ部材４４が取り付けられている。係止片４０は、この丸バネ部材４４により軸部４２で弾性的に支持された状態とされる。このため、係止片４０は、第一側壁２４側に向けて押圧されると、これに反発して押し戻す向きの付勢力が付与されることとなる。
【００２２】
そして軸部４２に取り付けられた状態の係止片４０は、縦向きにしたプラグ５６の形状と対応する形状とされている。つまり、係止片４０の平板部位４０ｃはプラグ５６と当接可能な形状とされ、係止片４０の突出部位４０ｂが、プラグ５６の凹部５３（プラグ５６の基部付近のプラグ基部５７とは異なる凹状箇所）にはまり込む形状とされている。
係止部２３としての係止片４０に保持されたプラグ５６は、図１０のように、係止片４０の付勢力によりその対面側の第二側壁２０に押し付けられる。更に係止片４０の突出部位４０ｂが、プラグ５６の凹部５３に嵌り込むことで互いに係り合うこととなる。このため、プラグ５６の抜け方向移動への移動が阻止される。そして、より強い保持力でもって、プラグ５６が収納部２６に保持されることとなる。
【００２３】
［第三の実施の形態］
第三の実施の形態にかかる巻取装置２ｂは、図１２のように、上述の第一の実施の形態にかかる巻取装置２と同一の基本構成を有する。よって、第一の実施の形態にかかる巻取装置２と同一の構成については同一の符号を付す事でその構成の詳細な説明を省略する。
第三の実施の形態にかかる巻取装置２ｂの特徴は、係止部２３としてのプラグ挿入部８０が設けられている点であり、このプラグ挿入部８０には、プラグ５６の接続端子５４，５４を挿入可能なプラグ挿入口８０ａ，８０ａが形成されている。プラグ挿入口８０ａ，８０ａに接続端子５４，５４を挿入することで、その抜け方向への移動（特に、リール１０の径方向外方への移動）を規制することができる。
ここでプラグ挿入部８０の材質は、特に限定しないが、本実施の形態のようにゴムやエラストマなどの弾縮性を有する材質とすることができる。この場合、プラグ挿入口８０ａ，８０ａの寸法を接続端子５４の寸法よりも小さくしておくとよい。プラグ挿入口８０ａ，８０ａを押し広げつつ接続端子５４を挿入すると、プラグ挿入部８０の有する弾性により接続端子５４が締め付けられて確実に収納部に保持されることとなる。
またプラグ挿入部８０の材質を硬質な樹脂とする場合には、上述の係止片２２（又は係止片４０）を併用して用いることが好ましい。この場合、例えば、プラグ挿入部８０内にプラグ挿入口８０ａに連通する連通孔を設け、この連通孔に、係止片２２の突出部位２２ａがプラグ挿入口８０ａ内に突出するように係止片２２を取り付ける。
【００２４】
また第三の実施の形態にかかる巻取装置２ｂでは、外部ケース６の挿入口４両端にローラ部材８５，８５が設けられている。ローラ部材８５は、外部ケース６の周側壁６ｃに沿って上下方向に立設した軸部８５ｂと、この軸部８５ｂに回転自在に嵌め込まれた円筒管８５ａとからなる。コード５８の巻取り時又は引出し時には、外部ケース６の挿入口４から出入りするコード５８がローラ部材８５と当接する。このときコード５８に当接したローラ部材８５がコード５８の移動に伴い回転するので、コード５８出し入れ時におけるコード５８の接触摩擦が抑えられる。このためコード５８にキズがつきにくい。
なお、リール１０の内側には補強のための板状のリブ３７がボス３８（上述のボス３６とは異なる形態である）を中心として放射状に複数設けられている。ボス３８は、リール１０の底面に立設してなる横断面半円形の柱体である。
【００２５】
本実施例の巻取装置は、本実施の形態で説明した外観、構成、処理、表示例等に限定されず、種々の変更、追加、削除が可能である。
本実施例においては、係止部２３を収納部２６の側壁（第一側壁２４及び第二側壁２０）に形成した例（プラグを縦にして収納する例）を説明した。これとは異なり、プラグを横にして収納する場合には、収納部２６の内部上面及び下面に係止部２３を形成又は取り付けてもよい。
また本実施の形態（第一の実施の形態）において、係止片２２と突出部２４ｂとで構成された係止部２３の例を説明した。これとは異なり、係止片２２又は突出部２４ｂのみで係止部２３を構成してもよい。
また本実施の形態（第二の実施の形態）において、第一側壁２４に係止片２２を取り付けた例を説明した。これとは異なり、第一側壁２４と第二側壁２０の両方に係止片２２を取り付けてもよく、この場合には突出部２４ｂを形成する必要はない。また第一側壁２４と第二側壁２０の両方に突出部２４ｂを形成してもよく、この場合には係止片２２を取り付けなくともよい。
また本実施の形態（第一の実施の形態）において、板バネ部材の係止片２２の例を説明した。これとは異なり、収納部２６に向けてコイルバネを突出させてなる係止片としてもよい。また収納部２６に向けてゴム製の柱体を突出されてなる係止片としてもよい。
【００２６】
本実施例においては、ドーム状の基部１８に円筒形状の持ち手１６を立設したハンドル部材１７の例（図２を参照）を説明した。ハンドル部材は、外部ケース内部のリールを回転可能であれば如何なる形状のものであってもよく、例えば、平板状の基部に円筒状の持ち手が取り付けられた形状のハンドル部材であってもよい。持ち手が回転中心から遠い位置に配置されているので、より軽い力でハンドルを回転させることができる。
【００２７】
本実施例においては、フック孔３２を有する掛け具３０により巻取装置２（２ａ、２ｂ）を被取付部６４に掛けて保持する例（図７を参照）を説明した。この掛け具の形状は、フックの形状に合わせて適宜変更可能であり、フックを掛けることができればどのような形状であってもよい。
また巻取装置２は、磁気的又は接着剤などによって電気機器に固定してもよい。例えば図１１に示すように巻取装置２を金属製の枠体である温風ヒータ７０に固定するには、巻取装置２の底面（図示しない）に磁石を取付け、または接着剤を塗布などする。このようにすれば、温風ヒータ７０の側部に巻取装置２底面を当接することで、巻取装置を磁気的に温風ヒータ７０に取り付けることができる。
また巻取装置２は、外部ケース６及び／又はリール１０をすべて透明（あるいは半透明）な材質で構成することもできる。
【００２８】
本実施例においては、ハンドル部材１７にて外部ケース６内部のリール１０を回転する（手動による回転の）例を説明した。これとは異なり、リール１０をその周方向に自動回転するようにバネ付勢するなどして自動巻取り可能な構成としてもよい。また自動巻取りにおいては、電気的に駆動してリールを回転させる駆動装置を用いてもよい。
またハンドル部材１７は、基部１８の外周付近に立設した円筒状の取っ手１６をリール１０内部に押し込み可能な構成としてもよい。この場合には、外部ケース６の上部壁６ｂとリール１０の上部壁１０ｂのそれぞれ対応する位置に取っ手１６を押し込み可能な孔を設けておく。リール１０内部に押し込まれた取っ手１６がストッパとなり、リール１０の回転がロック（規制）される。このためリール１０が不用意に回転することがなく、より安全なものとなる。この取っ手１６の押し込みリール１０を固定する位置は、例えば、収納部２６の開口部２８と外部ケース６に形成された挿入口４とが対面するスタート位置とすることが好ましい。このような位置決めをすれば、より確実に、接続端子５４を有するプラグ５６が外部ケース６の挿入口４を通って収納部２６の開口部２８に出し入れ可能となる。
【００２９】
本実施例においては、リール１０の外周に沿って形成された収納部２６の例を説明した。収納部２６の形成位置は、リール１０の径方向内方側に形成されておればよく、例えば、リール１０の中心（図１で見るとボス３６の配置位置）を通る中心線上に形成されていてもよい。
【００３０】
本実施例においては、温風ヒータやドライヤなどの家庭用の電気機器に使用する例を説明したが、本実施の形態の巻取装置２（２ａ、２ｂ）は、電源用コードを有する電気機器であればいずれにも使用可能なものである。例えば、家庭用の電気機器よりも太いコードを有する工具類の電源用コードであっても、巻取装置２（２ａ、２ｂ）の寸法を適宜変更することで巻き取ることができる。
【図面の簡単な説明】
【００３１】
【図１】巻取装置の平面図である。
【図２】巻取装置の側面図である。
【図３】図１のIII‐III線（縦）断面図である。
【図４】図２のIV‐IV線（横）断面図である。
【図５】コードの巻取り手順を説明するための巻取装置の横断面図である。
【図６】コードが巻き取られた状態を示す巻取装置の横断面図である。
【図７】ドライヤのコードを巻き取った状態の巻取装置を示す平面図である。
【図８】コードを有するドライヤの平面図である。
【図９】別の例の巻取装置の横断面図である。
【図１０】コードが巻き取られた状態を示す別の例の巻取装置の横断面図である。
【図１１】温風ヒータのコードを巻き取り収納した巻取装置の平面図である。
【図１２】更に別の例の巻取装置の横断面図である。
【符号の説明】
【００３２】
２      第一の実施の形態の巻取装置
２ａ    第二の実施の形態の巻取装置
２ｂ    第三の実施の形態の巻取装置
４      挿入口
６      外部ケース
６ａ    挿通孔
６ｂ    外部ケース上部壁
６ｃ    外部ケース周側壁
６ｄ    外部ケース内周壁
８      クリアランス
１０    リール
１０ａ  リール外周壁
１０ｂ  リール上部壁
１２    持ち手
１４    スタンド
１６    取っ手
１７    ハンドル部材
１８    基部
１９    ボルト
２０    収納部の第二側壁
２０ａ  ガイド部
２０ｂ  第二直線部
２０ｃ  取付孔
２２    第一の実施の形態の係止片
２２ａ  突出部位
２２ｂ  平板部位
２２ｃ  先端
２４    第一側壁
２４ａ  受け部
２４ｂ  突出部
２４ｃ  第一直線部
２６    収納部
２８    開口部
３０    掛け具
３２    フック孔
３４    ナット
３６    ボス
３６ａ  ボルト孔
４０    第二の実施の形態の係止片
４０ｂ  突出部位
４０ｃ  平板部位
４２    軸部
４４    丸バネ部材
５０    ドライヤ本体
５２    電源用コード
５３    プラグの凹部
５４    接続端子
５６    プラグ
５７    プラグ基部
５８    コード
８０    プラグ挿入部
８５    ローラ部材
【図１】
2008001511.tif 000003
【図２】
2008001511.tif 000004
【図３】
2008001511.tif 000005
【図４】
2008001511.tif 000006
【図５】
2008001511.tif 000007
【図６】
2008001511.tif 000008
【図７】
2008001511.tif 000009
【図８】
2008001511.tif 000010
【図９】
2008001511.tif 000011
【図１０】
2008001511.tif 000012
【図１１】
2008001511.tif 000013
【図１２】
2008001511.tif 000014